(57)【要約】【課題】長尺又はサイズの大きい荷物も車両の後部座席に容易に収納できる後部車室用荷物収納シートを提供する。【解決手段】後部車室用荷物収納シート１は、車両７の前部座席８の背もたれ９の上端部と、後部座席１０の背もたれ９の上端部との間に、一方の面を上にして、縦糸２が車両７の前後方向に沿うように、かつ後部座席１０の座部１２に接触しないように渡される網状シート４と、網状シート４の各網目を形成する縦糸部分６に対し、縦糸部分６毎に、その周りで回転し得るように設けられた回転体５とを備える。【選択図】図１
2018039355.tif 000002
【特許請求の範囲】
【請求項１】
車両の前部座席の背もたれの上端部と、後部座席の背もたれの上端部との間に、一方の面を上にして、縦糸が車両の前後方向に沿うように、かつ該後部座席の座部に接触しないように渡される網状シートと、
前記網状シートの各網目を形成する縦糸部分に対し、縦糸部分毎に、該縦糸部分の周りで回転し得るように設けられた回転体とを備えることを特徴とする後部車室用荷物収納シート。
【請求項２】
前記網状シートは、前記一方の面と反対側の面を上にして、該後部座席の背もたれ及び該後部座席の座部に接触し、かつ該座部と前記前部座席との間では車両のフロアから離れた状態で該後部座席と該前部座席との間に該網状シートを取り付けるために、該網状シートの縦糸に沿った方向の両端部を、前記前部座席の背もたれの上端部及び前記後部座席の背もたれの上端部にそれぞれ固定する固定手段を備え、
前記網状シートには、前記反対側の面において、その縦糸の方向に沿って一辺が該反対側の面に接続され、かつ該一辺を回動軸として回動させることにより該網状シートに対して倒し及び立てることができる複数の隔壁が設けられており、
前記隔壁は、前記固定手段により前記後部座席と前記前部座席との間に取り付けられた前記網状シートに対して立てることにより、前記後部座席の座部上の空間を車幅方向に区画できる位置に設けられていることを特徴とする請求項１に記載の後部車室用荷物収納シート。
【請求項３】
前記複数の隔壁のうちの一部は、前記固定手段により前記後部座席と前記前部座席との間に取り付けられた前記網状シートに対して立てることにより、該網状シートのうちの前記車両のフロアから離れた状態で取り付けられた部分の上の空間を車幅方向に区画できる位置に設けられていることを特徴とする請求項２に記載の後部車室用荷物収納シート。
【請求項４】
前記固定手段は、前記網状シートの縦糸に沿った方向の両端部を、前記前部座席の上端部及び前記後部座席の上端部に対して、各相互間の距離を調節し得るように固定するものであることを特徴する請求項２又は３に記載の後部車室用荷物収納シート。
【請求項５】
前記回転体は、
前記縦糸上に配置された内側回転体と、
前記内側回転体の外側に同軸上で回転し得るように設けられた外側回転体とで構成され、
前記内側回転体の両端部に前記網状シートの横糸と前記外側回転体との摩擦を回避するフランジ部が設けられていることを特徴とする請求項１〜４のいずれか１項に記載の後部車室用荷物収納シート。
【発明の詳細な説明】
【技術分野】
【０００１】
本発明は、車両の後部車室に荷物を収納するために使用される後部車室用荷物収納シートに関する。
【背景技術】
【０００２】
従来、車両の車室内で手荷物などを安全に載置しておくための手段として、前部座席と後部座席のシートとの間で略水平に延びてその間の空間を上下に仕切り、上面に荷物を載置できるようにしたネットが知られている（例えば、特許文献１参照）。特許文献１に記載されたネットは、後部座席内に、引き出し可能に格納できるようになっている。
【０００３】
また、車両の座席に取り付けられて荷物を収納できるように構成され、荷物の収納に使用していないときにはクッションとして使用可能な荷物収納具も知られている（例えば、特許文献２参照）。
【０００４】
特許文献２に記載された荷物収納具は、座席の座部上に載置した状態で使用され、荷物の収納に使用する場合には、座部上に配置される略四角形状の底壁部と、該底壁部から上方に延びる略四角筒形状の側壁部とで囲われて上方が開口した略箱形状の状態とされる。
【先行技術文献】
【特許文献】
【０００５】
【特許文献１】特開２００６−２０５８７５号公報
【特許文献２】特開２０１３−１１６２７２号公報
【発明の概要】
【発明が解決しようとする課題】
【０００６】
しかしながら、上記特許文献１のネットによれば、単にネットを前部座席と後部座席のシートとの間に配置するだけであるため、ゴルフバッグのような長くて大きい荷物を収納するには収納スペースが狭い。また、ネット上に長い荷物の一端を載せ、車幅方向に押しながら車室内に挿入し、ネット上に載置するような荷物の収納方法は、ネットが荷物に引っ掛かるので、実行することが困難である。
【０００７】
また、特許文献２の荷物収納具によれば、荷物の収納空間が狭く、かつ収納空間を区画する側壁部が邪魔になるので、ゴルフバッグのような長くて大きい荷物を収納することができない。
【０００８】
本発明の目的は、かかる従来技術の問題点に鑑み、ゴルフバッグのような長くて大きい荷物も車両の後部車室内に容易に収納できる後部車室用荷物収納シートを提供することにある。
【課題を解決するための手段】
【０００９】
第１発明の後部車室用荷物収納シートは、
前部座席の背もたれの上端部と、後部座席の背もたれの上端部との間に、一方の面を上にして、縦糸が車両の前後方向に沿うように、かつ後部座席の座部に接触しないように渡される網状シートと、
前記網状シートの各網目を形成する縦糸部分に対し、縦糸部分毎に、該縦糸部分の周りで回転し得るように設けられた回転体とを備えることを特徴とする。
【００１０】
第１発明によれば、ゴルフバッグのような長くてサイズの大きい荷物を後部車室内に車両の後部ドアを開けて収納する際には、上述のようにして前部座席と後部座席との間に渡された網状シートの後部ドア側に荷物の長手方向端部を載せ、荷物を長手方向に沿って車幅方向に押すことにより荷物が収納される。
【００１１】
このとき、荷物が車幅方向に押されると、網状シートの回転体が荷物との摩擦により回転し、網状シートと荷物との間の摩擦力が低減されるので、荷物は容易に車幅方向に移動する。したがって、ゴルフバッグのような長くて大きい荷物でも、車両の後部車室内に容易に収納することができる。
【００１２】
第２発明の後部車室用荷物収納シートは、第１発明において、
前記網状シートは、前記一方の面と反対側の面を上にして、該後部座席の背もたれ及び該後部座席の座部に接触し、かつ該座部と前記前部座席との間では車両のフロアから離れた状態で該後部座席と該前部座席との間に該網状シートを取り付けるために、該網状シートの縦糸に沿った方向の両端部を、前記前部座席の背もたれの上端部及び前記後部座席の背もたれの上端部にそれぞれ固定する固定手段を備え、
前記網状シートには、前記反対側の面において、その縦糸の方向に沿って一辺が該反対側の面に接続され、かつ該一辺を回動軸として回動させることにより該網状シートに対して倒し及び立てることができる複数の隔壁が設けられており、
前記隔壁は、前記固定手段により前記後部座席と前記前部座席との間に取り付けられた前記網状シートに対して立てることにより、前記後部座席の座部上の空間を車幅方向に区画できる位置に設けられていることを特徴とする。
【００１３】
第２発明によれば、網状シートを、前部座席と後部座席の間に、上述の長くて大きい荷物の収納に使用される網状シートの面とは反対側の面を上にして取り付けて隔壁を立てることにより、後部座席の座部の上を車幅方向に区画することができる。したがって、この区画内に比較的小さい荷物を収納することができる。
【００１４】
この場合、車両が制動されて荷物が前方に移動した場合には、網状シートのうち、後部座席の座部と前部座席との間のフロアから離れた部分により荷物が受け取られるので、荷物がフロアに衝突するのを防止することができる。
【００１５】
第３発明の後部車室用荷物収納シートは、第２発明において、
前記複数の隔壁のうちの一部は、前記固定手段により前記後部座席と前記前部座席との間に取り付けられた前記網状シートに対して立てることにより、該網状シートのうちの前記車両のフロアから離れた状態で取り付けられた部分の上の空間を車幅方向に区画できる位置に設けられていることを特徴とする。
【００１６】
第３発明によれば、網状シートのうちのフロアから離れた状態で取り付けられた部分の上にも隔壁で区画された空間を設け、該空間内に比較的小さい荷物を収納することができる。すなわち、後部座席の足元も、荷物の収納場所として活用することができる。
【００１７】
第４発明の後部車室用荷物収納シートは、第２又は第３発明において、
前記固定手段は、前記網状シートの縦糸に沿った方向の両端部を、前記前部座席の上端部及び前記後部座席の上端部に対して、各相互間の距離を調節し得るように固定するものであることを特徴とする。
【００１８】
第４発明によれば、網状シートを取り付けるための固定手段を、第１発明において網状シートを前部座席の背もたれの上端部と、後部座席の背もたれの上端部との間に渡す際にも用いることができる。
【００１９】
すなわち、後部車室用荷物収納シートの上記の第１発明に沿った使用と、上記の第２発明に沿った使用とにおいて、前部座席及び後部座席に対し、好ましい位置となるように網状シートの前端部及び後端部を固定することができる。
【００２０】
第５発明の後部車室用荷物収納シートは、第１〜第４のいずれかの発明において、
前記回転体は、
前記縦糸上に配置された内側回転体と、
前記内側回転体の外側に同軸上で回転し得るように設けられた外側回転体とで構成され、
前記内側回転体の両端部に前記網状シートの横糸と前記外側回転体との摩擦を回避するフランジ部が設けられていることを特徴とする。
【００２１】
第５発明によれば、回転体から横糸に付与される回転方向の力を減少させて網状シートの耐久性を高めることができる。また、回転体による網状シート及び荷物間の摩擦力低減作用を向上させ、長くて大きい荷物をさらに容易に収納できるようにすることができる。
【図面の簡単な説明】
【００２２】
【図１】本発明の一実施形態に係る後部車室用荷物収納シートの一部を示す平面図である。
【図２】図１の後部車室用荷物収納シートを、第１面を上にして車両に取り付けた様子を示す図である。
【図３】図１の後部車室用荷物収納シートの第２面を示す斜視図である。
【図４】図１の後部車室用荷物収納シートを、第２面を上にして車両に取り付けた様子を示す図である。
【図５】図２のように、後部車室用荷物収納シートを、第１面を上にして車両に取り付けた場合に、長くて大きい荷物を後部車室内に収納した状態を示す図である。
【図６】図１の後部車室用荷物収納シートの回転体の別の例を示す図である。
【発明を実施するための形態】
【００２３】
以下、図面を用いて本発明の実施形態を説明する。図１は、本発明の一実施形態に係る後部車室用荷物収納シートの一部を示す。図１のように、後部車室用荷物収納シート１は、縦糸２と横糸３とで構成される網状シート４と、網状シート４の縦糸２の周りで回転し得るように設けられた回転体５とを備える。
【００２４】
回転体５は、網状シート４の各網目の縦糸部分６に対し、縦糸部分６毎に設けられる。このような網状シート４は、例えば、各縦糸２上に回転体５を配置しておき、その後に各横糸３を各縦糸２に対し、各回転体５の間において溶着などの方法で結合させて製造することができる。
【００２５】
「縦糸」及び「横糸」は矩形状の網の目を形成する一方向に延びた糸及び他方向に延びた糸を意味するにすぎず、いずれの方向に延びた糸を、回転体５を配置する縦糸２として採用するかは任意である。縦糸２及び横糸３としては、例えば、相互に溶着されて樹脂網を形成するものを用いることができる。
【００２６】
図２に示すように、網状シート４は、車両７の前部座席８の背もたれ９の上端部と、後部座席１０の背もたれ９の上端部との間に、一方の面である第１面１１を上にして、縦糸２が車両７の前後方向に沿うように、かつ後部座席１０の座部１２に接触しないように渡される。
【００２７】
図３に示すように、網状シート４には、第１面１１と反対側の面である第２面１３において、その縦糸２の方向に沿った軸線の回りで回動させて網状シート４に対して倒し及び立てることができる複数の隔壁１４及び１５が設けられる。すなわち、隔壁１４及び１５の一辺が網状シート４に固定され、回動の軸線を構成している。
【００２８】
図４に示すように、網状シート４は、前部座席８の背もたれ９の上端部と、後部座席１０の背もたれ９の上端部との間に、第２面１３を上にして、後部座席１０の背もたれ９及び後部座席１０の座部１２に接触させて取り付けることができる。このとき、網状シート４のうち、座部１２と前部座席８との間の部分は、車両７のフロア１６から離れた状態となるように取り付けられる。
【００２９】
網状シート４をこのように取り付けた状態において、隔壁１４は、上記のように立てることによって、後部座席１０の座部１２上の空間を車幅方向に区画できる位置に設けられる。また、隔壁１５は、上記のように立てることによって、網状シート４のうち、座部１２と前部座席８との間の部分の上の空間を車幅方向に区画できる位置に設けられる。隔壁１４及び１５は、板状のシートや網状のシートで構成することができる。
【００３０】
図３に示すように、隔壁１４及び１５は、網状シート４上に倒したとき及び立てたときに隔壁１４を網状シート４に対して回動しないように固定するための固定手段１７を有する。網状シート４上には、各固定手段１７に対応する位置に、隔壁１４を倒したときの固定手段１８及び立てたときの固定手段１９が設けられる。固定手段１７〜１９は、面ファスナやファスナボタンで構成することができる。
【００３１】
網状シート４の縦糸２に沿った方向の両端部には、該両端部を前部座席８の上端部及び後部座席１０の上端部に対して、該両端部との間の距離が調節できるように固定するためのシート固定手段２０が設けられる。
【００３２】
シート固定手段２０は、例えば、網状シート４の縦糸２に沿った方向における両端部のそれぞれに設けられて該両端部をそれぞれほぼ一直線状に維持するための芯部材２０ａと、芯部材２０ａに設けられた固定用ベルトとで構成される。固定用ベルトは、芯部材２０ａに対し、前部座席８及び後部座席１０の４つのヘッドレスト２１に対応する位置にそれぞれ設けられる。芯部材２０ａは、例えば樹脂製の棒状部材で構成することができる。
【００３３】
固定用ベルトは、各一端が芯部材２０ａに固定されたバンド対２０ｂと、バンド対２０ｂの他端側を止めるバンド止め２０ｃとで構成することができる。
【００３４】
すなわち、シート固定手段２０は、各バンド対２０ｂを対応するヘッドレスト２１に回し、バンド止め２０ｃで各バンド対２０ｂを止めることにより、網状シート４の両端部を前部座席８及び後部座席１０の上端部に固定できるように構成される。バンド止め２０ｃで各バンド対２０ｂを止める位置を選択することにより、前部座席８及び後部座席１０の各上端部に対する網状シート４の両端部の固定位置（各上端部と該両端部との距離）を調整することができる。
【００３５】
なお、バンド止め２０ｃの代わりにバックルを用いてもよい。また、固定用ベルトとして、バンド対２０ｂ及びバンド止め２０ｃの代わりに、一端が芯部材２０ａに固定された紐状の部材をヘッドレスト２１に対して単に結び付けるようにしたものを用いてもよい。
【００３６】
この構成において、後部車室用荷物収納シート１を用いて、ゴルフバッグなどのような比較的寸法の長い物や大きい荷物を車両７の後部車室内に収納する際には、まず、網状シート４を、その第１面１１を上にして、縦糸２が車両７の前後方向に沿うようにして、前部座席８の背もたれ９の上端部と、後部座席１０の背もたれ９の上端部との間に配置する。
【００３７】
ただしこのとき、隔壁１４及び１５上の固定手段１７が網状シート４上の固定手段１８に固定されており、隔壁１４及び１５は、網状シート４上に倒された（畳まれた）状態にある。
【００３８】
次に、網状シート４の後端部を、後部座席１０のヘッドレスト２１にシート固定手段２０で固定する。また、網状シート４の前端部を、前部座席８のヘッドレスト２１にシート固定手段２０で固定する。ただし、この固定に際しては、網状シート４が後部座席１０の座部１２に接触しないように、後部座席１０及び前部座席８のヘッドレスト２１に対する網状シート４の後端部及び前端部の固定位置が、シート固定手段２０により調整される。
【００３９】
すなわち、この場合、各ヘッドレスト２１に対し、網状シート４の後端部及び前端部が比較的近くに位置するように、シート固定手段２０による固定位置が調整される。これにより、図２のように、網状シート４が、後部座席１０の座部１２に接触することなく、前部座席８と後部座席１０との間に渡された状態となる。
【００４０】
このシート固定手段２０による固定位置の調整は、後述のように網状シート４上に荷物を完全に収納した状態でも、網状シート４が後部座席１０の座部１２に接触することがないように調整されるのが好ましい。
【００４１】
次に、このようにして前部座席８と後部座席１０の間に渡された網状シート４の上に荷物の長手方向端部を載せて車幅方向に押すことにより、網状シート４の上に荷物を収納する。このとき、網状シート４の回転体５が、荷物との摩擦により回転し、網状シート４と荷物との摩擦を軽減するので、容易に荷物を、網状シート４上に送り込んで収納することができる。図５には、このようにして荷物２２が収納された時の様子が示されている。
【００４２】
収納されている荷物２２を取り出す場合には、逆に、荷物２２を車幅方向に引き出せばよい。その場合にも、荷物２２との摩擦で回転体５が荷物２２の下で回転するので、容易に荷物２２を取り出すことができる。後部車室用荷物収納シート１が不要になった場合には、網状シート４の後端部及び前端部のシート固定手段２０による固定を解除し、網状シート４を折り畳んで車両７のトランクなどに収納しておくことができる。
【００４３】
一方、後部車室用荷物収納シート１を用いて、比較的小さい荷物を収納する場合には、網状シート４の第２面１３を用いる。すなわち、まず、第２面１３を上にして、網状シート４の前端部及び後端部を、シート固定手段２０により前部座席８及び後部座席１０のヘッドレスト２１に固定する。
【００４４】
このとき、網状シート４の前端部のヘッドレスト２１に対する固定位置は、ヘッドレスト２１から十分離れた位置に設定される。また、網状シート４の後端部のヘッドレスト２１に対する固定位置は、ヘッドレスト２１からある程度離れた位置に設定される。
【００４５】
これにより、図４のように、網状シート４が、後部座席１０の背もたれ９の前面及び座部１２に接触し、前部座席８の背もたれ９の後面に至るように配置された状態となる。隔壁１４は、後部座席１０の座部１２上に位置する。また、網状シート４の後部座席１０と前部座席８との間の部分は、車両７のフロア１６からある程度離れた状態となる。この部分に、隔壁１５が位置する。
【００４６】
次に、後部車室用荷物収納シート１の各隔壁１４及び１５を立てることにより、後部座席１０の座部１２上の空間と、網状シート４における後部座席１０と前部座席８との間の部分の上の空間とを車幅方向に区画する。各隔壁１４及び１５を立てる際には、隔壁１４及び１５上の固定手段１７が、網状シート４上の固定手段１８から分離され、網状シート４上の固定手段１９に固定される。このようにして区画された空間内に、荷物を収納することができる。
【００４７】
後部車室用荷物収納シート１の使用が終了した場合には、各隔壁１４及び１５を倒して網状シート４に固定し、シート固定手段２０によるヘッドレスト２１への固定を解除し、網状シート４をコンパクトに折り畳んでトランクなどに収納することができる。
【００４８】
以上のように、本実施形態によれば、網状シート４の第１面１１を用いて、ゴルフバッグのような長尺又はサイズの大きい荷物２２を収納する際に、網状シート４の回転体５が、荷物２２との摩擦により回転し、網状シート４と荷物２２との摩擦力を軽減するので、荷物２２を網状シート４上で車幅方向に押し入れるのを容易にする。したがって、後部座席１０を有する車両７の後部車室内に対し、長くて大きい荷物２２を容易に収納することができる。
【００４９】
また、後部車室用荷物収納シート１の第２面１３を用いることにより、比較的小さい荷物を隔壁１４及び１５で区画された空間に収納することができる。この場合、後部座席の足元にも荷物を収納できるとともに、車両７の制動により、後部座席１０の座部１２上の荷物が前方に移動したとしても、網状シート４のうち、後部座席１０と前部座席８との間の部分により荷物が受け取られるので、荷物がフロア１６に衝突するのを防止することができる。
【００５０】
なお、本発明は、上述の実施形態に限定されない。例えば、後部座席１０の座部１２上の空間を車幅方向に区画する隔壁１４に加えて、該空間を車両７の前後方向に区画する隔壁を設けて、上方が開いた箱状の空間を形成し、該空間内に比較的小さい荷物を収納できるようにしてもよい。
【００５１】
また、回転体５は、網状シート４の全面にわたって向ける必要はなく、必要な部分のみに設けてもよい。
【００５２】
また、回転体５として、図６のように、縦糸２上に配置された内側回転体５ａと、内側回転体５ａの外側に同軸上で回転し得るように設けた外側回転体５ｂとで構成し、内側回転体５ａの両端部に横糸３と外側回転体５ｂとの摩擦を回避するフランジ部５ｃを設けたものを採用してもよい。
【００５３】
これによれば、回転体５から横糸３に付与される回転方向の力を減少させて網状シート４の耐久性を高めることができる。また、回転体５による網状シート４及び荷物間の摩擦力低減作用を向上させ、長くて大きい荷物２２をさらに容易に収納できるようにすることができる。
【００５４】
また、網状シート４には、折り畳みやすいように、予め折目を設けるとともに、折目以外の部分では容易には折れないようにしてもよい。これによれば、網状シート４を折目に沿って折り畳むことによって、迅速かつ容易に後部車室用荷物収納シート１をコンパクトな形態にして収納することができる。
【００５５】
また、折目を適切に設定することにより、取り付けられた網状シート４の形状を、ゴルフバッグのようなある程度定型化された荷物に対して適合させ、より容易に荷物を収納できるようにすることができる。
【符号の説明】
【００５６】
１…後部車室用荷物収納シート、２…縦糸、３…横糸、４…網状シート、５…回転体、５ａ…内側回転体、５ｂ…外側回転体、５ｃ…フランジ部、６…縦糸部分、７…車両、８…前部座席、９…背もたれ、１０…後部座席、１１…第１面、１２…座部、１３…第２面、１４、１５…隔壁、１６…フロア、１７〜１９…固定手段、２０…シート固定手段、２０ａ…芯部材、２０ｂ…バンド対、２０ｃ…バンド止め、２１…ヘッドレスト、２２…荷物。
【図１】
2018039355.tif 000003
【図２】
2018039355.tif 000004
【図３】
2018039355.tif 000005
【図４】
2018039355.tif 000006
【図５】
2018039355.tif 000007
【図６】
2018039355.tif 000008
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
縦糸に沿った方向の両端部が、車両の前部座席及び後部座席の各背もたれの上端部にそれぞれ固定される網状シートと、
前記網状シートの各網目を形成する縦糸部分に対し、縦糸部分毎に、該縦糸部分の周りで回転し得るように設けられた回転体とを備えることを特徴とする後部車室用荷物収納シート。
【請求項２】
前記網状シートの縦糸に沿った方向の両端部を、前記前部座席及び後部座席の各背もたれの上端部に対して、各相互間の距離を調整し得るように固定するためのシート固定手段を備え、
前記網状シートには、該網状シートの片側の面において、前記縦糸の方向に沿って一辺が該片側の面に接続され、かつ該一辺を回動軸として回動させることにより該網状シートに対して倒し及び立てることができる複数の隔壁が設けられており、
前記隔壁は、前記シート固定手段により前記後部座席と前記前部座席との間に前記片側の面を上にして取り付けられた前記網状シートに対して立てることにより、前記後部座席の座部上の空間を車幅方向に区画できる位置に設けられていることを特徴とする請求項１に記載の後部車室用荷物収納シート。
【請求項３】
前記複数の隔壁のうちの一部は、前記固定手段により前記後部座席と前記前部座席との間に前記片側の面を上にして取り付けられた前記網状シートに対して立てることにより、該網状シートのうちの前記車両のフロアから離れた状態で取り付けられた部分の上の空間を車幅方向に区画できる位置に設けられていることを特徴とする請求項２に記載の後部車室用荷物収納シート。
【請求項４】
前記回転体は、
前記縦糸上に配置された内側回転体と、
前記内側回転体の外側に同軸上で回転し得るように設けられた外側回転体とで構成され、
前記内側回転体の両端部に前記網状シートの横糸と前記外側回転体との摩擦を回避するフランジ部が設けられていることを特徴とする請求項１〜３のいずれか１項に記載の後部車室用荷物収納シート。
【手続補正２】
【補正対象書類名】明細書
【補正対象項目名】０００９
【補正方法】変更
【補正の内容】
【０００９】
第１発明の後部車室用荷物収納シートは、
縦糸に沿った方向の両端部が、車両の前部座席及び後部座席の各背もたれの上端部にそれぞれ固定される網状シートと、
前記網状シートの各網目を形成する縦糸部分に対し、縦糸部分毎に、該縦糸部分の周りで回転し得るように設けられた回転体とを備えることを特徴とする。
【手続補正３】
【補正対象書類名】明細書
【補正対象項目名】００１２
【補正方法】変更
【補正の内容】
【００１２】
第２発明の後部車室用荷物収納シートは、第１発明において、
前記網状シートの縦糸に沿った方向の両端部を、前記前部座席及び後部座席の各背もたれの上端部に対して、各相互間の距離を調整し得るように固定するためのシート固定手段を備え、
前記網状シートには、該網状シートの片側の面において、前記縦糸の方向に沿って一辺が該片側の面に接続され、かつ該一辺を回動軸として回動させることにより該網状シートに対して倒し及び立てることができる複数の隔壁が設けられており、
前記隔壁は、前記シート固定手段により前記後部座席と前記前部座席との間に前記片側の面を上にして取り付けられた前記網状シートに対して立てることにより、前記後部座席の座部上の空間を車幅方向に区画できる位置に設けられていることを特徴とする。
【手続補正４】
【補正対象書類名】明細書
【補正対象項目名】００１３
【補正方法】変更
【補正の内容】
【００１３】
第２発明によれば、後部車室用荷物収納シートを使用するとき、シート固定手段により、前部座席及び後部座席に対し、好ましい位置となるように網状シートの前端部及び後端部を固定することができる。
また、網状シートの上記片側の面と反対側の面が、前部座席と後部座席の間に、上述の長くて大きい荷物を収納する場合に使用される。そして、網状シートの該片側の面を上にして取り付けて隔壁を立てることにより、後部座席の座部の上を車幅方向に区画することができる。したがって、この区画内に比較的小さい荷物を収納することができる。
【手続補正５】
【補正対象書類名】明細書
【補正対象項目名】００１５
【補正方法】変更
【補正の内容】
【００１５】
第３発明の後部車室用荷物収納シートは、第２発明において、
前記複数の隔壁のうちの一部は、前記固定手段により前記後部座席と前記前部座席との間に前記片側の面を上にして取り付けられた前記網状シートに対して立てることにより、該網状シートのうちの前記車両のフロアから離れた状態で取り付けられた部分の上の空間を車幅方向に区画できる位置に設けられていることを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
第４発明の後部車室用荷物収納シートは、第１〜第３のいずれかの発明において、
前記回転体は、
前記縦糸上に配置された内側回転体と、
前記内側回転体の外側に同軸上で回転し得るように設けられた外側回転体とで構成され、
前記内側回転体の両端部に前記網状シートの横糸と前記外側回転体との摩擦を回避するフランジ部が設けられていることを特徴とする。
【手続補正１０】
【補正対象書類名】明細書
【補正対象項目名】００２１
【補正方法】変更
【補正の内容】
【００２１】
第４発明によれば、回転体から横糸に付与される回転方向の力を減少させて網状シートの耐久性を高めることができる。また、回転体による網状シート及び荷物間の摩擦力低減作用を向上させ、長くて大きい荷物をさらに容易に収納できるようにすることができる。
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
縦糸に沿った方向の両端部が、車両の前部座席及び後部座席の各背もたれの上端部にそれぞれ固定される網状シートと、
前記網状シートの各網目を形成する縦糸部分に対し、縦糸部分毎に、該縦糸部分の周りで回転し得るように設けられ、前記車両に固定された状態の該網状シートの上に載置されて車幅方向に押される荷物との摩擦で回転することにより該荷物の車幅方向への移動を許容する回転体とを備えることを特徴とする後部車室用荷物収納シート。
【請求項２】
前記網状シートの縦糸に沿った方向の両端部を、前記前部座席及び後部座席の各背もたれの上端部に対して、各相互間の距離を調整し得るように固定するためのシート固定手段を備え、
前記網状シートには、該網状シートの片側の面において、前記縦糸の方向に沿って一辺が該片側の面に接続され、かつ該一辺を回動軸として回動させることにより該網状シートに対して倒し及び立てることができる複数の隔壁が設けられており、
前記隔壁は、前記シート固定手段により前記後部座席と前記前部座席との間に前記片側の面を上にして取り付けられた前記網状シートに対して立てることにより、前記後部座席の座部上の空間を車幅方向に区画できる位置に設けられていることを特徴とする請求項１に記載の後部車室用荷物収納シート。
【請求項３】
前記複数の隔壁のうちの一部は、前記シート固定手段により前記後部座席と前記前部座席との間に前記片側の面を上にして取り付けられた前記網状シートに対して立てることにより、該網状シートのうちの前記車両のフロアから離れた状態で取り付けられた部分の上の空間を車幅方向に区画できる位置に設けられていることを特徴とする請求項２に記載の後部車室用荷物収納シート。
【請求項４】
前記回転体は、
前記縦糸上に配置された内側回転体と、
前記内側回転体の外側に同軸上で回転し得るように設けられた外側回転体とで構成され、
前記内側回転体の両端部に前記網状シートの横糸と前記外側回転体との摩擦を回避するフランジ部が設けられていることを特徴とする請求項１〜３のいずれか１項に記載の後部車室用荷物収納シート。
【手続補正２】
【補正対象書類名】明細書
【補正対象項目名】０００９
【補正方法】変更
【補正の内容】
【０００９】
第１発明の後部車室用荷物収納シートは、
縦糸に沿った方向の両端部が、車両の前部座席及び後部座席の各背もたれの上端部にそれぞれ固定される網状シートと、
前記網状シートの各網目を形成する縦糸部分に対し、縦糸部分毎に、該縦糸部分の周りで回転し得るように設けられ、前記車両に固定された状態の該網状シートの上に載置されて車幅方向に押される荷物との摩擦で回転することにより該荷物の車幅方向への移動を許容する回転体とを備えることを特徴とする。
【手続補正３】
【補正対象書類名】明細書
【補正対象項目名】００１５
【補正方法】変更
【補正の内容】
【００１５】
第３発明の後部車室用荷物収納シートは、第２発明において、
前記複数の隔壁のうちの一部は、前記シート固定手段により前記後部座席と前記前部座席との間に前記片側の面を上にして取り付けられた前記網状シートに対して立てることにより、該網状シートのうちの前記車両のフロアから離れた状態で取り付けられた部分の上の空間を車幅方向に区画できる位置に設けられていることを特徴とする。